【手続補正書】
【提出日】平成30年3月27日(2018.3.27)
【手続補正１】
【補正対象書類名】明細書
【補正対象項目名】発明の名称
【補正方法】変更
【補正の内容】
【発明の名称】粉砕装置
【手続補正２】
【補正対象書類名】明細書
【補正対象項目名】０００１
【補正方法】変更
【補正の内容】
【０００１】
本発明は、原料であるコーヒー豆と抽出用液体である水とを混合させて粉砕する粉砕装置に関する。
【手続補正３】
【補正対象書類名】明細書
【補正対象項目名】０００７
【補正方法】変更
【補正の内容】
【０００７】
本発明は斯かる事情に鑑みてなされたものであり、原料及び抽出用液体が確実に自吸され、効率よく粉砕することが可能な粉砕装置を提供することを目的とする。
【手続補正４】
【補正対象書類名】明細書
【補正対象項目名】０００８
【補正方法】変更
【補正の内容】
【０００８】
上記目的を達成するために第１発明に係る粉砕装置は、第１部材を有するロータと、第２部材を有するステータと、前記ロータ及び前記ステータを収容する筐体とを備え、前記ロータを回転させながら、原料を前記第１部材と前記第２部材との間に入り込ませて原料を粉砕する粉砕装置であって、前記ロータを回転するとき、前記筐体の内部に負圧を発生させることを特徴とする。
【手続補正５】
【補正対象書類名】明細書
【補正対象項目名】０００９
【補正方法】変更
【補正の内容】
【０００９】
第１発明では、第１部材を有するロータと、第２部材を有するステータと、ロータ及びステータを収容する筐体とを備える。ロータを回転させながら、原料を第１部材と第２部材との間に入り込ませて原料を粉砕するときに、筐体の内部に負圧を発生させるので、投入された原料をロータへと誘導することができ、自吸的に原料を粉砕することが可能となる。
【手続補正６】
【補正対象書類名】明細書
【補正対象項目名】００１０
【補正方法】変更
【補正の内容】
【００１０】
また、第２発明に係る粉砕装置は、第１発明において、前記第１部材は、前記ロータ上に複数段設けられており、しかもそれぞれの段において周方向に複数形成されている回転歯であり、前記第２部材は、前記ステータ上に複数段設けられており、しかもそれぞれの段において周方向に複数形成されている固定歯であり、前記ステータ上のそれぞれの段における前記固定歯は、前記ロータ上の複数段の前記回転歯の段と段との間に嵌入されることを特徴とする。
【手続補正７】
【補正対象書類名】明細書
【補正対象項目名】００１１
【補正方法】変更
【補正の内容】
【００１１】
第２発明では、第１部材は、ロータ上に複数段設けられており、しかもそれぞれの段において周方向に複数形成されている回転歯である。第２部材は、ステータ上に複数段設けられており、しかもそれぞれの段において周方向に複数形成されている固定歯である。ステータ上のそれぞれの段における固定歯は、ロータ上の複数段の回転歯の段と段との間に嵌入されているので、ロータを回転させながら、原料を第１部材と第２部材との間に入り込ませやすく、自吸的に原料を粉砕することが可能となる。
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】変更
【補正の内容】
【００１４】
また、第３発明に係る粉砕装置は、第２発明において、前記ロータの回転歯は、鋸刃状に形成され、前記ステータの固定歯は、前記ロータの回転歯に対向する側が鋸刃状に形成されていることを特徴とする。
【手続補正１１】
【補正対象書類名】明細書
【補正対象項目名】００１５
【補正方法】変更
【補正の内容】
【００１５】
第３発明では、ロータの回転歯が、鋸刃状に形成され、ステータの固定歯が、ロータの回転歯に対向する側が鋸刃状に形成されているので、原料をロータの回転歯とステータの固定歯との間で捕捉しやすく、より効率よく粉砕することができる。
【手続補正１２】
【補正対象書類名】明細書
【補正対象項目名】００１６
【補正方法】変更
【補正の内容】
【００１６】
また、第４発明に係る粉砕装置は、第２又は第３発明において、前記ステータの固定歯と固定歯との間隔が、回転中心から離れた段ほど小さくなるよう設けてあることを特徴とする。
【手続補正１３】
【補正対象書類名】明細書
【補正対象項目名】００１７
【補正方法】変更
【補正の内容】
【００１７】
第４発明では、ステータの固定歯と固定歯との間隔が、回転中心から離れた段ほど小さくなるよう設けてあるので、粉砕されて小さくなった原料を、外縁部に近づくにつれてより細かく粉砕することが可能となる。
【手続補正１４】
【補正対象書類名】明細書
【補正対象項目名】００１８
【補正方法】変更
【補正の内容】
【００１８】
また、第５発明に係る粉砕装置は、第１乃至第４発明のいずれか１つにおいて、前記ロータへと原料を供給する投入口を備え、該投入口は、前記ロータ側に向かって下方へ傾斜していることを特徴とする。
【手続補正１５】
【補正対象書類名】明細書
【補正対象項目名】００１９
【補正方法】変更
【補正の内容】
【００１９】
第５発明では、原料を供給する投入口が、ロータ側に向かって下方へ傾斜しているので、ロータが原料を自吸することができ、確実に粉砕することが可能となる。
【手続補正１６】
【補正対象書類名】明細書
【補正対象項目名】００２０
【補正方法】変更
【補正の内容】
【００２０】
また、第６発明に係る粉砕装置は、第１発明において、前記第１部材は、前記ロータ上に複数段設けられており、しかもそれぞれの段において周方向に複数形成されている回転歯であり、前記第２部材は、前記ステータ上に複数段設けられており、しかもそれぞれの段において周方向に複数形成されているスリットを有する板部材であり、前記ステータ上のそれぞれの段における前記板部材は、前記ロータ上の複数段の前記回転歯の段と段との間に嵌入されることを特徴とする。
【手続補正１７】
【補正対象書類名】明細書
【補正対象項目名】００２１
【補正方法】変更
【補正の内容】
【００２１】
第６発明では、第１部材は、ロータ上に複数段設けられており、しかもそれぞれの段において周方向に複数形成されている回転歯である。第２部材は、ステータ上に複数段設けられており、しかもそれぞれの段において周方向に複数形成されているスリットを有する板部材である。ステータ上のそれぞれの段における板部材は、ロータ上の複数段の回転歯の段と段との間に嵌入されているので、ロータを回転させながら、原料を第１部材と第２部材との間に入り込ませやすく、自吸的に原料を粉砕することが可能となる。
【手続補正１８】
【補正対象書類名】明細書
【補正対象項目名】００２２
【補正方法】変更
【補正の内容】
【００２２】
また、第７発明に係る粉砕装置は、第１乃至第６発明のいずれか１つにおいて、前記ロータは、外縁部に遠心羽根部材を備えていることを特徴とする。
【手続補正１９】
【補正対象書類名】明細書
【補正対象項目名】００２３
【補正方法】変更
【補正の内容】
【００２３】
第７発明では、ロータは、外縁部に遠心羽根部材を備えているので、ロータ内に負圧を生じさせることができ、投入された原料及び抽出用液体をロータへと誘導することができ、自吸的に原料を粉砕することが可能となる。
【手続補正２０】
【補正対象書類名】明細書
【補正対象項目名】００２４
【補正方法】変更
【補正の内容】
【００２４】
また、第８発明に係る粉砕装置は、第１乃至第７発明のいずれか１つにおいて、前記ロータの回転の軸方向は、鉛直方向と異なることを特徴とする。
【手続補正２１】
【補正対象書類名】明細書
【補正対象項目名】００２５
【補正方法】変更
【補正の内容】
【００２５】
第８発明では、ロータの回転の軸方向は、鉛直方向と異なるので、回転軸の中心付近に原料が目詰まりしにくく、長時間の粉砕作業が可能となる。
【手続補正２２】
【補正対象書類名】明細書
【補正対象項目名】００２６
【補正方法】変更
【補正の内容】
【００２６】
また、第９発明に係る粉砕装置は、第８発明において、前記ロータの回転の軸方向は、前記鉛直方向と直交する水平方向であることを特徴とする。
【手続補正２３】
【補正対象書類名】明細書
【補正対象項目名】００２７
【補正方法】変更
【補正の内容】
【００２７】
第９発明では、ロータの回転の軸方向は、鉛直方向と直交する水平方向であるので、回転軸の中心付近に原料が目詰まりしにくく、長時間の粉砕作業が可能となる。
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】変更
【補正の内容】
【００３０】
本発明によれば、ロータを回転させて原料を抽出用液体とともに粉砕することができ、加えてロータの外縁部に遠心羽根部材を備えているので、ロータ内に負圧を生じさせることができ、投入された原料及び抽出用液体をロータへと誘導することができ、自吸的に原料を粉砕することが可能となる。
【手続補正２７】
【補正対象書類名】明細書
【補正対象項目名】００３２
【補正方法】変更
【補正の内容】
【００３２】
以下、図面を参照しながら、本発明の実施の形態について説明する。なお、本実施の形態では、原料（以下、乾燥原料）としては粒径が１０ｍｍ以下のコーヒー豆を、しかも水分含量３０％以下であるものを想定する。また、抽出用液体として清水を用いる湿式粉砕装置を例に挙げて説明する。
【手続補正２８】
【補正対象書類名】特許請求の範囲
【補正対象項目名】全文
【補正方法】変更
【補正の内容】
【特許請求の範囲】
【請求項１】
第１部材を有するロータと、
第２部材を有するステータと、
前記ロータ及び前記ステータを収容する筐体と
を備え、
前記ロータを回転させながら、原料を前記第１部材と前記第２部材との間に入り込ませて原料を粉砕する粉砕装置であって、
前記ロータを回転するとき、前記筐体の内部に負圧を発生させることを特徴とする粉砕装置。
【請求項２】
前記第１部材は、前記ロータ上に複数段設けられており、しかもそれぞれの段において周方向に複数形成されている回転歯であり、
前記第２部材は、前記ステータ上に複数段設けられており、しかもそれぞれの段において周方向に複数形成されている固定歯であり、
前記ステータ上のそれぞれの段における前記固定歯は、前記ロータ上の複数段の前記回転歯の段と段との間に嵌入されることを特徴とする請求項１に記載の粉砕装置。
【請求項３】
前記ロータの回転歯は、鋸刃状に形成され、
前記ステータの固定歯は、前記ロータの回転歯に対向する側が鋸刃状に形成されていることを特徴とする請求項２に記載の粉砕装置。
【請求項４】
前記ステータの固定歯と固定歯との間隔は、回転中心から離れた段ほど小さくなるよう設けてあることを特徴とする請求項２又は３に記載の粉砕装置。
【請求項５】
前記ロータへと原料を供給する投入口を備え、
該投入口は、前記ロータ側に向かって下方へ傾斜していることを特徴とする請求項１乃至４のいずれか一項に記載の粉砕装置。
【請求項６】
前記第１部材は、前記ロータ上に複数段設けられており、しかもそれぞれの段において周方向に複数形成されている回転歯であり、
前記第２部材は、前記ステータ上に複数段設けられており、しかもそれぞれの段において周方向に複数形成されているスリットを有する板部材であり、
前記ステータ上のそれぞれの段における前記板部材は、前記ロータ上の複数段の前記回転歯の段と段との間に嵌入されることを特徴とする請求項１に記載の粉砕装置。
【請求項７】
前記ロータは、外縁部に遠心羽根部材を備えていることを特徴とする請求項１乃至６のいずれか一項に記載の粉砕装置。
【請求項８】
前記ロータの回転の軸方向は、鉛直方向と異なることを特徴とする請求項１乃至７のいずれか一項に記載の粉砕装置。
【請求項９】
前記ロータの回転の軸方向は、前記鉛直方向と直交する水平方向であることを特徴とする請求項８に記載の粉砕装置。